(57)【要約】【課題】 光源モジュールを容易に連結、保持することが可能な連結装置を提供する。【解決手段】 本発明における連結装置は、被取付部に取り付けられ、複数の発光素子を直線状に基板に実装した光源モジュール２２１を連結する連結装置２２２において、連結装置２２２が基板２２１ｂの側面と対向する側辺が、基板２２１ｂの側面より大きく形成された連結固定部２２２ａと、対向側辺より光源モジュール２２１方向へ突出し、光源モジュール２２１と連結し導通する接続部２２２ｅを備えており、連結固定部２２２ａには固定部２２２ｄが形成されていることで、光源モジュール２２１を容易に連結、保持することが可能な連結装置２２２を提供することができる。【選択図】          図９
2015207397.tif 000002
【特許請求の範囲】
【請求項１】
被取付部に取り付けられ、複数の発光素子を直線状に基板に実装した光源モジュールを連結する連結装置において、
前記基板の側辺と対向する対向側辺を有し、前記被取付部に取り付けられる連結固定部と、
前記連結固定部に設けられ、前記対向側辺より前記光源モジュール方向へ突出し、前記光源モジュールと接続し導通する接続部と、
前記連結固定部に設けられ、前記接続部を介して前記光源モジュールから電力供給され点灯する発光部と、
を備えていることを特徴とする連結装置。
【請求項２】
前記連結固定部は、前記光源モジュールと連結したとき、前記発光部が直線状に実装された前記複数の発光素子の延長線上の位置に配置されることを特徴とする請求項１に記載の連結装置。
【請求項３】
前記連結固定部の前記対向側辺は、前記基板の側辺よりも大きく形成されていることを特徴とする請求項１または請求項２に記載の連結装置。
【請求項４】
前記連結固定部は、前記接続部を２つ備え、それぞれの前記接続部に前記光源モジュールが連結されることを特徴とする請求項１から請求項３のいずれかに記載の連結装置。
【請求項５】
前記連結固定部は、前記対向側辺を隣接する２辺に形成していることを特徴とする請求項４に記載の連結装置。
【請求項６】
前記接続部は２極の接触部を有し、前記連結固定部は、前記発光部を介して前記接続部の前記２極の接触部を短絡させる配線パターンを有していることを特徴とする請求項１から請求項３のいずれかに記載の連結装置。
【請求項７】
複数の発光素子を直線状に基板に実装した光源モジュールと、
請求項１から請求項６のいずれかに記載の連結装置と、
を備えていることを特徴とする光源装置。
【請求項８】
請求項７に記載の光源装置と、
前記光源装置に電力を供給する点灯装置と、
を備えていることを特徴とする照明器具。
【発明の詳細な説明】
【技術分野】
【０００１】
本発明は、屋内に設置される照明器具に関するものである。
【背景技術】
【０００２】
従来より、複数のＬＥＤ素子が基板に実装されたＬＥＤモジュールを、一列に配列し連結することで、所望の光束を得るようにした照明器具がある。
【０００３】
それらのＬＥＤモジュールの連結方法には、ＬＥＤモジュールはＬＥＤ素子に給電する為のコネクタが実装されており、互いに隣り合うＬＥＤモジュールのコネクタ同士を中継コネクタ付きのリード線などにより接続を行ない、連結を行なっているものがある。
【０００４】
例えば、ＬＥＤモジュール同士を連結する中継コネクタには、略直方体形状をしている本体部と、本体部の対向する面からそれぞれ突き出したピン部とから構成されたものがある。
この中継コネクタは、ピン部が、連結される２つのＬＥＤモジュールに設けられた入力コネクタに接続するとともに、本体部が２つのＬＥＤモジュールの間に介在しＬＥＤモジュールに設けられた凹部と係り合い、ＬＥＤモジュールの連結位置を制御している（例えば、特許文献１）。
【０００５】
また、基板に切欠部が形成されているＬＥＤモジュールにおいて、中継コネクタによりＬＥＤモジュールが連結されるとともに、中継コネクタのリード線が切欠部に引っ掛けられ、リード線がＬＥＤモジュールから照射される光を遮蔽しないよう制御しているものがある（例えば、特許文献２）。
【０００６】
また、複数のＬＥＤ素子を実装されたＬＥＤモジュールにおいて、ＬＥＤが直線状に配列されるとともに、入力コネクタ・出力コネクタがＬＥＤの配列とずれた位置に実装されているＬＥＤモジュールがある。
このＬＥＤモジュールは、入力・出力コネクタがＬＥＤの配列とずれた位置に実装されることで、ＬＥＤモジュールを連結したときに、コネクタがＬＥＤから照射される光を遮ることなく、光の連続性を保つものである（例えば、特許文献３）。
【先行技術文献】
【特許文献】
【０００７】
【特許文献１】特開２０１３−２２９２７６号公報
【特許文献１】特開２０１２−６４３９０号公報
【特許文献２】特開２０１３−２５１４４４号公報
【発明の概要】
【発明が解決しようとする課題】
【０００８】
しかしながら、特許文献１の中継コネクタは、連結されるＬＥＤモジュールの連結位置の制御は行うが、連結したＬＥＤモジュールを照明器具へ固定する方法は記載されていない。
ＬＥＤモジュールの取付方法としては、ねじにより固定されているものがあるが、基板にねじ止めの為の固定孔を設ける際には、ＬＥＤ素子、配線パターンと固定孔の絶縁距離をとる必要があり基板が大きくなる。
【０００９】
また、特許文献２のＬＥＤモジュールは基板に切欠部を設けており、ＬＥＤモジュールを連結するときに中継コネクタのリード線を引っ掛けている。
しかし、これはＬＥＤモジュールを照明器具などの取付部材に取り付けを行った後に、リード線を引っ掛けており、ＬＥＤモジュールと取付部材が当接した状態でリード線を引っ掛けるには、基板もしくはリード線を変形、破損させてしまう可能性がある。
また、リード線がＬＥＤモジュールと取付部材との間で押圧されないよう、取付部材にも切り欠きなどの加工が必要になると考えられる。
【００１０】
また、特許文献３のＬＥＤモジュールは、中継コネクタを用いずにＬＥＤモジュールとＬＥＤモジュールを隣接させ、ＬＥＤモジュールに実装されたコネクタを接続し連結を行なっている。
しかしながら、ＬＥＤモジュールは一定のサイズで製造されており、容易にＬＥＤモジュールのサイズを拡張する、もしくは縮小するなどの変更をする事ができない。
よって、ＬＥＤモジュールが取り付けられる照明器具によっては、ＬＥＤモジュールとＬＥＤモジュールの間に隙間を設け、長さ調整が可能なリード線を備えた中継コネクタなどにより連結する必要があり、光の連続性が保てなくなる。
【００１１】
そこで本発明では、上記のような課題を解決する為になされたものであり、ＬＥＤモジュールを保持するとともに、ＬＥＤモジュールの光の連続性を保つ連結装置を提供することを目的とする。
【課題を解決するための手段】
【００１２】
本発明における連結装置は、被取付部に取り付けられ、複数の発光素子を直線状に基板に実装した光源モジュールを連結する連結装置において、前記基板の側辺と対向する対向側辺を有し、前記被取付部に取り付けられる連結固定部と、前記連結固定部に設けられ、前記対向側辺より前記光源モジュール方向へ突出し、前記光源モジュールと接続し導通する接続部と、前記連結固定部に設けられ、前記接続部を介して前記光源モジュールから電力供給され点灯する発光部と、を備えていることを特徴とするものである。
【発明の効果】
【００１３】
本発明は、ＬＥＤモジュールを保持するとともに、ＬＥＤモジュールの光の連続性を保つ連結装置を提供することができる。
【図面の簡単な説明】
【００１４】
【図１】実施の形態１における照明器具の傾斜図である。
【図２】実施の形態１における照明器具の分解傾斜図である。
【図３】実施の形態１における本体部の傾斜図である。
【図４】実施の形態１における光源部の傾斜図である。
【図５】実施の形態１における光源部の分解傾斜図である。
【図６】実施の形態１におけるＬＥＤユニットの分解傾斜図である。
【図７】実施の形態１における連結部の傾斜図である。
【図８】実施の形態１におけるＬＥＤモジュールの傾斜図である。
【図９】実施の形態１における図５に示すＡ部の拡大傾斜図である。
【図１０】実施の形態１におけるＬＥＤユニットの組立工程図である。
【図１１】実施の形態１におけるＬＥＤユニット変形例の傾斜図である。
【図１２】実施の形態２における埋込型照明器具の傾斜図である。
【図１３】実施の形態２における埋込型照明器具の分解傾斜図である。
【図１４】実施の形態２における角連結部の傾斜図である。
【図１５】実施の形態２における図１３に示すＢ部の拡大傾斜図である。
【図１６】実施の形態３における拡張連結部の傾斜図である。
【図１７】実施の形態３における拡張連結部変形例１の傾斜図である。
【図１８】実施の形態３における拡張連結部変形例２の傾斜図である。
【発明を実施するための形態】
【００１５】
実施の形態１.
実施の形態１では、本発明に係る照明器具の一例として、天井などの被取付部（以下、被取付部として天井を例に説明するが天井に限定されない）に取り付けられる、逆富士形の照明器具１０００について説明する。
以下の説明において、便宜上、天井面側（被取付面側）を上面側とし、床面側（被取付面と反対側）を下面側として説明を行う。
【００１６】
図１は照明器具１０００の傾斜図であり、図２は図１に示す照明器具１０００の分解傾斜図であり、図３は図２に示す本体部１００の傾斜図であり、図４は図２に示す光源部２００の傾斜図であり、図５は図２に示す光源部２００の分解傾斜図であり、図６は図５に示すＬＥＤユニット２２０の分解傾斜図であり、図７は図６に示すＬＥＤモジュール２２１の傾斜図であり、図８は図６に示す連結部２２２であり、図９は図５に示すＡ部の拡大図である。なお、詳細を説明する為、図８には配線パターン２２１ｆを図示する。
【００１７】
はじめに、照明器具１０００の各部の構成を説明する。
照明器具１０００は、天井（被取付部）に当接するように設置される本体部１００と、本体部１００に着脱可能に取り付けられる光源部２００から構成される。
【００１８】
本体部１００は、光源部２００を本体部１００に取り付けするためのバネ部１１０と、照明器具１０００の外部から引き込まれた電源電線が接続される端子台１２０を備えている。
【００１９】
本体部１００は、略箱形状をしており、上面側が下面側より大きく形成された逆富士形状をしている。
また、下面側には、光源部２００の一部が挿入されて固定される開口部１０１が形成されており、開口部１０１と対向する上面側には取付部１０２が形成されている。
【００２０】
本体部１００の取付部１０２には、バネ部１１０、端子台１２０が取り付けられている。また、取付部１０２には、商用電源供給用の電源電線を引き込む電源引込孔１０３や、天井へ固定する為の天井固定孔１０４が形成されている。
【００２１】
バネ部１１０は、略円弧形状をしており取付部１０２に取り付けられている。バネ部１１０により、光源２００は本体部１００に保持される。
【００２２】
端子台１２０は、電源引込孔１０３を介して外部から引き込まれる電源電線が接続されるものであり、光源部２００へ電力を供給する為の端子台コネクタ１２１を備えている。
【００２３】
光源部２００は、保持部２１０、ＬＥＤユニット２２０（または、光源装置ともいう）、カバー部２３０、光源蓋部２４０、連結金具２５０、点灯装置２６０を備えている。
【００２４】
保持部２１０は、ＬＥＤユニット２２０が取り付けられる保持正面部２１１と、保持正面部２１１の両端部から垂直に突出した保持側面部２１２から構成されており、長尺状に形成されている。
【００２５】
また、保持正面部２１１のＬＥＤユニット２２０が取り付けられる面の背面（上面側）には、バネ部１１０と連結する連結金具２５０が取り付けられている。
【００２６】
ＬＥＤユニット２２０は、複数のＬＥＤ素子２２１ａ（発光素子ともいう）と複数のＬＥＤ素子２２１ａが実装されたＬＥＤ基板２２１ｂを備えたＬＥＤモジュール２２１（光源モジュールともいう）と、保持正面部２１１に固定され、対向するＬＥＤモジュール２２１同士を連結させる連結部２２２を備えている。
ＬＥＤユニット２２０は、複数のＬＥＤモジュール２２１を連結部２２２（連結装置ともいう）により連結するものであり、長尺状に形成されている。なお、連結の詳細に関しては後述する。
【００２７】
ＬＥＤモジュール２２１は、略長方形状をしたＬＥＤ基板２２１ｂと、ＬＥＤ基板２２１ｂに実装される複数のＬＥＤ素子２２１ａと、ＬＥＤ基板２２１ｂの両端に実装され連結部２２２と接続する凹型コネクタ２２１ｃから構成されている。
【００２８】
ＬＥＤ基板２２１ｂは、略長方形状をしており、一面に配線パターン２２１ｆが形成される実装面２２１ｄを備えている。
配線パターン２２１ｆは、長手両端に設けられた凹型コネクタ２２１ｃを繋ぐよう略直線状に、２列形成されている。
【００２９】
ＬＥＤ素子２２１ａは、実装面２２１ｄに形成された配線パターン２２１ｆに沿って略等間隔に実装されている。また、ＬＥＤ基板２２１ｂの長手方向と平行に２列に配設される。
【００３０】
凹型コネクタ２２１ｃは、ＬＥＤ基板２２１ｂの長手方向両端部それぞれに、直線状に配列された２列のＬＥＤ素子２２１ａに挟まれるように実装されている。
凹型コネクタ２２１ｃは略四角形状をし、連結部２２２が差し込まれ導通する挿込部２２１ｅが形成されている。また、挿込部２２１ｅがそれぞれ長手外方向へ向くように配設されている。
【００３１】
連結部２２２は、保持部２１０に当接する略直方体形状をした連結固定部２２２ａと、ＬＥＤモジュール２２１と連結する連結本体部２２２ｂと、連結固定部２２２ａに備えられ連結本体部２２２ｂを介してＬＥＤモジュール２２１から供給される電力により発光する補助ＬＥＤ２２２ｃ（発光部ともいう）を備えている。なお、本実施の形態では、２個の補助ＬＥＤ２２２ｃを備えている場合について説明するが、補助ＬＥＤ２２２ｃの個数を２個に限定するものではない。
【００３２】
連結固定部２２２ａは、略直方体形状をしており、ＬＥＤモジュール２２１の側辺と対向する、長手方向の側辺（対向側辺ともいう）の長さＡ（図７に図示）がＬＥＤモジュール２２１の短手方向の側辺の長さＢ（図８に図示）より長く形成されている。
また、長手方向中心部には連結本体部２２２ｂが取り付けられるとともに、連結本体部２２２ｂの両側には配線パターンが形成され連結本体部２２２ｂを介してＬＥＤモジュール２２１からの電力供給により点灯する補助ＬＥＤ２２２ｃが配設されており、各補助ＬＥＤ２２２ｃの外側には連結固定部２２２ａを保持部２１０に固定される為の取付孔２２２ｄ（固定部ともいう）が形成されている。
【００３３】
連結本体部２２２ｂは、隣接するＬＥＤモジュール２２１とＬＥＤモジュール２２１を連結させ、導通させるものである。
連結本体部２２２ｂは、略直方体形状をしており、長手方向両端にＬＥＤモジュール２２１の凹型コネクタ２２１ｃに挿し込まれる接続部２２２ｅを両側に備えている。
また、連結本体部２２２ｂは、連結固定部２２２ａの長手方向中心にて垂直に交差するように形成されており、接続部２２２ｅは連結固定部２２２ａより突き出すように配設されている。
【００３４】
補助ＬＥＤ２２２ｃは、連結固定部２２２ａの連結本体部２２２ｂの両側に形成された配線パターンに実装されており、連結本体部２２２ｂを介してＬＥＤモジュール２２１から供給される電力により発光する。
また、補助ＬＥＤ２２２ｃは、直線状に配列されたＬＥＤ素子２２１ａの配列の延長線上に位置するように配設されている。
【００３５】
カバー部２３０は、カバー爪部２３１、カバー拡散部２３２を備えており、ＬＥＤユニット２２０を覆うように保持部２１０に取り付けられる。
なお、カバー爪部２３１は、保持部２１０の保持側面部２１２に係合する。また、カバー拡散部２３２は断面が略円弧状をなすように形成されており、ＬＥＤユニット２２０を覆う長尺状である。
【００３６】
光源蓋部２４０は、カバー部２３０のカバー拡散部２３２、保持部２１０の保持正面部２１１とから構成される端部に嵌まり込み、前記端部を塞いでいる。
【００３７】
連結金具２５０は、断面が略Ｌ形状に形成されており、保持正面部２１１の背面に取り付けられている。
また、連結金具２５０は、バネ部１１０が挿入される開口部が形成されており、本体部１００に備えられているバネ部１１０と連結される。
【００３８】
点灯装置２６０は、端子台１２０を介して商用電力からの電力をＬＥＤユニット２１０に供給し、ＬＥＤユニット２１０を点灯させる装置であり、保持部２１０の背面に取り付けられている。
また、点灯装置２６０は略直方体形状をした点灯装置本体部２６１と、端子台１２０と連結する電源コネクタ２６２から構成されている。
【００３９】
次に、ＬＥＤユニット２２０の組立方法に関して説明をする。
図１０は図６に示すＬＥＤユニット２２０の組立方法を示した組立工程図であり、図１０の（ａ）は、保持部２１０に連結部２２２を取り付ける状態であり、図１０の（ｂ）は、取り付けられた連結部２２２にＬＥＤモジュール２２１が接続される状態であり、図１０の（ｃ）は、ＬＥＤモジュール２２１に追加の連結部２２２が接続される状態であり、図１０の（ｄ）は、長尺状にＬＥＤユニット２２０が組み立てられた状態である。
【００４０】
はじめに、保持部２１０の長手方向端部に、連結部２２２の取り付けを行なう。
連結部２２２は、接続部２２２ｅが保持部２１０の小口方向を向くように配置され、保持正面部２１１と連結固定部２２２ａが当接した状態で、ねじにより取付孔２２２ｄを介して保持部２１０に固定される。
【００４１】
次に、連結部２２２にＬＥＤモジュール２２１を接続させる。
ＬＥＤモジュール２２１は、長手両端に配設された凹部コネクタ２２１ｃのどちらか一方を、保持部２１０に固定された連結部２２２の保持部２１０長手中心方向へ向いた接続部２２２ｅに接続を行なう。
このとき連結部２２２の連結固定部２２２ａより突出した接続部２２２ｅは、ＬＥＤモジュール２２１のＬＥＤ基板２２１ｂの端部と当接し凹部コネクタ２２１ｃと接続する。
【００４２】
次に、ＬＥＤモジュール２２１に追加の連結部２２２を接続させる。
ＬＥＤモジュール２２１の長手方向両端部に備えた凹部コネクタ２２１ｃのうち、連結部２２２と接続されてない凹部コネクタ２２１ｃに、追加の連結部２２２を新たに接続する。
このとき、追加の連結部２２２はＬＥＤモジュール２２１に接続させた後に、保持部２１０にねじにより固定する。
【００４３】
次に、追加の連結部２２２に追加のＬＥＤモジュール２２１を接続させる。
このように、ＬＥＤモジュール２２１と、連結部２２２の接続を保持部２１０の長手方向と略同等になるまで接続を繰り返し行ない、ＬＥＤユニット２２０は長尺状に構成される。なお、ＬＥＤユニット２２０の両端部は連結部２２２が配置される。
【００４４】
最後に、ＬＥＤユニット２２０の端部には、点灯装置２６０からの電力を入力する電源入力用コネクタ２２３が接続され、ＬＥＤモジュール２２１に二列形成された配線パターン２２１ｆのうち一列に電力が供給されるとともに、他方側の端部に短絡用コネクタ２２４が接続され、配線パターン２２１ｆの他方側の列に電力が供給されＬＥＤユニット２２０は直列点灯をすることができる。
【００４５】
次に、ＬＥＤユニット２２０の変形例を、図１１を用いて説明を行なう。
図１１の（ａ）は、ＬＥＤモジュール２２１の連結された数量が異なるＬＥＤユニット２２０′を示したものであり、図１１の（ｂ）は異なる長さのＬＥＤモジュール２２１′を連結させたＬＥＤユニット２２０′′である。
【００４６】
本実施の形態では、ＬＥＤユニットはＬＥＤモジュール２２１を４つ連結したＬＥＤユニット２２０に関しての説明を行なっているが、連結するＬＥＤモジュール２２１の数量、またはＬＥＤモジュール２２１の長さは、光源部２００の長さなどとの関係により適宜変更することができる。
例えば、図１１の（ａ）に示すＬＥＤユニット２２０′は、ＬＥＤモジュール２２１を２つ連結したものである。
また、図１１の（ｂ）に示すＬＥＤユニット２２０′′は、ＬＥＤモジュール２２１と、ＬＥＤモジュール２２１よりも短く形成されたＬＥＤモジュール２２１′が連結され形成されているものである。
【００４７】
本実施の形態では、保持部２１０に固定される連結部２２２によって、ＬＥＤモジュール２２１が保持、連結されることで、ＬＥＤユニット２２０を容易に構成することができる。
【００４８】
本実施の形態では、ＬＥＤモジュール２２１のＬＥＤ素子２２１ａと、連結部２２２の補助ＬＥＤ２２２ｃが、ＬＥＤモジュール２２１と連結部２２２を連結しＬＥＤユニット２２０を構成したときに、ＬＥＤ素子２２１ａと補助ＬＥＤ２２１ａが直線状になるように配設されることで、ＬＥＤユニット２２０の光の連続性を保つことができる。
【００４９】
本実施の形態では、連結固定部２２２ａの長手寸法が、ＬＥＤ基板２２１ｂの短手寸法より大きく形成することで、ＬＥＤモジュール２２１に取り付けの為の孔を設けなくてよく、ＬＥＤユニット２２０全体の基板寸法を小さくすることができる。
【００５０】
なお、本実施の形態では、ＬＥＤユニット２２０は天井に取り付けられる逆富士型照明器具を用いて説明を行なっているが、一例であり、ＬＥＤユニット２２０は天井埋込型照明器具などに他の照明器具にも適用することができる。
【００５１】
なお、本実施の形態では、連結本体部２２２ｂの接続部２２２ｅは２極仕様のもの（２極の接触部（電極）を有するもの）を図示、説明しているが、１極仕様のもの（１極の接触部（電極）を有するもの）でも良く、１極仕様のときはＬＥＤユニットの両端部には、電源入力用コネクタ２２３が接続される。
【００５２】
実施の形態２．
本実施の形態２では、天井などの被取付部に設けられた埋込穴に埋め込まれ設置される埋込型照明器具を一例として説明を行なう。なお、実施の形態１と同様の構成は実施の形態１と同じ符号を付して詳細な説明を省略し異なる構成について説明する。
図１２は埋込型照明器具２０００の傾斜図であり、図１３は図１２に示す埋込型照明器具２０００の分解傾斜図であり、図１４は図１３に示す角連結部４１０の傾斜図であり、図１５は図１３に示すＢ部の拡大傾斜図である。
【００５３】
埋込型照明器具２０００は、埋込穴に埋め込まれ設置される本体部３００と、本体部３００に取り付けられる点灯装置２６０と、枠部３１０と、ＬＥＤユニット４００（または、光源装置）と、ＬＥＤユニット４００を保持する光源保持部３２０を有する。
【００５４】
本体部３００は、被取付部に埋め込まれ取り付けられる本体取付部３０１と、本体取付部３０１と対向する位置に本体開口部３０２が配設され、本体取付部３０１周部より本体開口部３０２方向へ形成された本体側面部３０３が形成されている。
また、本体開口部３０２の外周には略鍔形状をし、枠部３１０が取り付けられる開口周部３０２ａが形成されている。
【００５５】
枠部３１０は、断面が略「コ」字形状に形成された一辺が、「ロ」字形状になるよう配置されており、開口周部３０２ａを覆うように本体部３００に取り付けられる。
【００５６】
光源保持部３２０は、断面が略ハット形状をしており、略四角形状をしたＬＥＤユニット４００が取り付けられる光源取付部３２１と、本体部３００に当接しねじなどにより本体部３００に固定される固定部３２２を有している。
【００５７】
ＬＥＤユニット４００は、光源保持部３２０にＬＥＤモジュール２２１が「ロ」字形状に配置され構成されており、ＬＥＤモジュール２２１と、連結部２２２と、ＬＥＤモジュール２２１とＬＥＤモジュール２２１を直角に連結する角連結部４１０（または、連結装置ともいう）とから形成される。
【００５８】
角連結部４１０は、光源保持部３２０に取り付けられ略正方形状をした角連結固定部４１１と、角連結固定部４１１に互いが垂直な関係になるよう配設され導通する第一の連結コネクタ部４１２、第二の連結コネクタ部４１３と、角連結固定部４１１に備えられ第一の連結コネクタ４１２、第二の連結コネクタ部４１３を介して隣接するＬＥＤモジュール２２１から供給される電力により発光する角用補助ＬＥＤ４１４（または、補助発光素子ともいう）とを備えている。
【００５９】
角連結固定部４１１は、略正方形状をしており、一辺がＬＥＤモジュール２２１の短手方向の長さＢと略同等の長さになるよう形成されている。
また、ＬＥＤモジュール２２１と隣接する二辺にはそれぞれ第一の連結コネクタ部４１２と、第二の連結コネクタ部４１３が取り付けられるとともに、第一の連結コネクタ部４１２と第二の連結コネクタ部４１３との導通によりＬＥＤモジュール２２１から電力供給され点灯する角用補助ＬＥＤ４１４が配設されている。
また、角連結固定部４１１の中心部には、光源保持部３２０に固定される為の角用取付孔４１５が形成されている。
【００６０】
第一の連結コネクタ部４１２、第二の連結コネクタ部４１３は、隣接するＬＥＤモジュール２２１とＬＥＤモジュール２２１を略垂直に連結させ導通させるものである。
なお、第一の連結コネクタ部４１２と、第二の連結コネクタ部４１３は、略箱形状をした同一のものが設置されており、先端にはＬＥＤモジュール２２１の凹部コネクタ２２１ｃに差し込まれる接続部２２２ｅを片側に備えている。
また、第一の連結コネクタ部４１２、第二の連結コネクタ部４１３はそれぞれ角連結本体部４１１の２辺よりＬＥＤモジュール２２１に突き出すように配設されている。
【００６１】
角補助ＬＥＤ４１４は、第一の連結コネクタ部４１２と第二の連結コネクタ部４１３を導通する事により、隣接するＬＥＤモジュール２２１から電力供給され点灯するものである。
また、角補助ＬＥＤ４１４は、隣接するＬＥＤモジュール２２１に配設されたＬＥＤ素子２２１ａの延長線に配置されている。
【００６２】
光源ユニット４００は、ＬＥＤモジュール２２１を略垂直に連結する箇所に角連結部４１０を用いて「ロ」字形状を構成している。
【００６３】
本実施の形態では、角連結部４１０が、隣接する二辺にＬＥＤモジュール２２１と接続する第一の連結コネクタ部４１２と第二の連結コネクタ部４１３を備えていることで、ＬＥＤモジュール２２１を垂直に連結することできる。また、略四角形状をした照明器具２０００などの四隅まで、ＬＥＤユニット４００を設置することができる。
【００６４】
本実施の形態は、略正方形状をした埋込型照明器具２０００に関して説明を行なっているが、一例であり、天井直付照明器具や、直方形状の照明器具など他の照明器具にも適用することができる。
【００６５】
また、本実施の形態では、角連結部４１０は正方形状したものに関して説明を行なったが、長方形状などであってもよいとする。
【００６６】
実施の形態３．
実施の形態１および実施の形態２ではＬＥＤモジュール２２１を連結する為の連結装置について説明を行ったが、本実施の形態では、ＬＥＤモジュール２２１の拡張を目的とした連結部について説明を行う。なお、本実施の形態では、実施の形態１、実施の形態２と同様の構成については実施の形態１、実施の形態２と同じ符号を付して詳細な説明を省略し、異なる構成について詳細に説明する。
図１６の（ａ）は本実施の形態における拡張連結部５００の斜視図であり、図１６の（ｂ）は図１６の（ａ）に示す拡張連結部５００の組立参考図である。
【００６７】
拡張連結部５００（または、連結装置ともいう）は、ＬＥＤモジュール２２１に接続し、ＬＥＤモジュール２２１の点灯面積（発光面積）を拡張するものである。
拡張連結部５００は、取付部材６００（例えば、実施の形態１の保持部２１０に相当する）に固定される略四角形状をした拡張部５１０（または、連結固定部ともいう）と、ＬＥＤモジュール２２１と連結する拡張接続部５２０と、拡張部５１０に備えられ拡張接続部５２０を介してＬＥＤモジュール２２１から供給される電力により発光する拡張ＬＥＤ５３０（または、発光部ともいう）を備えている。
【００６８】
拡張部５１０は、略直方体形状をしており、長手方向の長さがＬＥＤモジュール２２１の短手長さＢ（図８図示）より長く形成されている。
また、長手方向中心部には拡張接続部５２０が取り付けられるとともに、拡張接続部５２０の両側には配線パターンが形成され拡張接続部５２０を介してＬＥＤモジュール２２１からの電力供給により点灯する拡張ＬＥＤ５３０が配設されており、各拡張ＬＥＤ５３０の外側には拡張部５１０を取付部材６００に固定される為の拡張固定孔５４０が形成されている。なお、配線パターンは拡張ＬＥＤ５３０に電気を供給するとともに、拡張接続部５２０の２極の接触部（電極）を短絡させるよう形成されている。
【００６９】
拡張接続部５２０は、隣接するＬＥＤモジュール２２１に接続され、導通するものである。
拡張接続部５２０は、略直方体形状をしており、ＬＥＤモジュール２２１の凹型コネクタ２２１ｃに挿し込まれる接続部２２２ｅを片側に備えている。
また、拡張接続部５２０は、接続部２２２ｅが拡張部５１０の長手方向中心より垂直に突き出すように拡張部５１０に配設されている。
【００７０】
拡張ＬＥＤ５３０は、拡張部５１０の拡張接続部５２０の両側に形成された配線パターンに実装されており、拡張接続部５２０を介してＬＥＤモジュール２２１から供給される電力により発光する。
また、拡張ＬＥＤ５３０は、直線状に配列されたＬＥＤ素子２２１ａの配列の延長線上になるように配置されている。
【００７１】
次に、拡張連結部５００の変形例を図１７、図１８を用いて、拡張連結部５００との差異について説明を行なう。
図１７は、拡張部５１０の形状が異なる拡張連結部７００を示したものであり、図１８はＬＥＤモジュール２２１とＬＥＤモジュール２２１を連結する拡張連結部８００を示したものである。なお、詳細を説明する為、図１８の（ａ）には配線パターンを図示する
【００７２】
図１８に示す拡張連結部７００は、取付部材６００に固定される略Ｔ形状をしたＴ形拡張部７１０と、ＬＥＤモジュール２２１と連結する拡張接続部５２０と、Ｔ形拡張部７１０に備えられ拡張接続部５２０を介してＬＥＤモジュール２２１から供給される電力により発光する拡張ＬＥＤ５３０を備えている。
【００７３】
Ｔ形拡張部７１０は、拡張ＬＥＤ５３０が実装される拡張基板部７１１と、Ｔ形拡張部７００を取付部材６００に固定する為の拡張固定孔５４０が形成された拡張固定部７１２から構成されている。
拡張基板部７１１の短手長さは、対向するＬＥＤモジュール２１１の短手長さＢ（図８に図示）と略同じ大きさに形成されているとともに、長手方向に複数の拡張ＬＥＤ５３０が直線状に配設できる寸法に形成されている。
拡張固定部７１２は、拡張基板部７１１の長手側面の両側より垂直方向へ形成されている。また、ＬＥＤモジュール２１１と対向する端部とは反対側の端部に形成されている。
【００７４】
次に、図１８に示す拡張連結部８００に関して説明をする。
拡張連結部８００は、取付部材６００に固定される拡張連結基板部８１０（または、連結固定部ともいう）と、ＬＥＤモジュール２２１と連結する拡張接続部５２０と、拡張接続部５２０を介してＬＥＤモジュール２２１から供給される電力により発光する拡張ＬＥＤ５３０を備えている。
【００７５】
拡張連結基板部８１０は、略四角形状をしておりＬＥＤモジュール２１１と対向するＣ辺８１１はＬＥＤモジュール２１１の短手長さＢ（図８図示）より大きく規制されており、Ｃ辺８１１と略垂直な関係に位置するＤ辺８１２は複数の拡張ＬＥＤ５３０が直線状に配設できる寸法に形成されている。
また、Ｃ辺にはそれぞれ拡張接続部５２０から接続部２２２ｅが突き出すように配設されている。
また、拡張連結部８１０には取付部材６００に固定される為の拡張固定孔５４０が、水平・垂直方向に隣接する４つの拡張ＬＥＤ５３０の対角の中心に形成されている。
なお、拡張本体部５２０の両側には拡張ＬＥＤ５３０に電力供給する為の配線パターン８２０が形成されており、配線パターン８２０は拡張ＬＥＤ５３０、拡張固定孔５４０との絶縁距離を保つように形成されている。
【００７６】
本実施の形態では、ＬＥＤモジュール２２１に拡張部５１０を備えた拡張連結部５００が接続されることで、ＬＥＤモジュール２２１を拡張させ、点灯面積を拡大することができる。
【００７７】
なお、本実施の形態では、拡張ＬＥＤ５３０を長手方向の３個実装されたもの図示しているが、基板の長さと拡張ＬＥＤ５３０の個数は、取付部材６００の長さなどとの関係により適宜変更することができる。
【符号の説明】
【００７８】
１０００  照明器具、１００  本体部、１０１  開口部、１０２  取付部、１０３  電源引込孔、１０４  天井固定孔、１１０  バネ部、１２０  端子台、１２１  端子台コネクタ、２００  光源部、２１０  保持部、２１１  保持正面部、２１２  保持側面部、２２０  ＬＥＤユニット、２２１  ＬＥＤモジュール、２２１ａ  ＬＥＤ素子、２２１ｂ  ＬＥＤ基板、２２１ｃ  凹型コネクタ、２２１ｄ  実装面、２２１ｅ  挿込部、
２２１ｆ  配線パターン、２２２  連結部、２２２ａ  連結固定部、２２２ｂ  連結本体部、２２２ｃ  補助ＬＥＤ、２２２ｄ  取付孔、２２２ｅ  接続部、２２３  電源入力用コネクタ、２２４  短絡用コネクタ、２３０  カバー部、２３１  カバー爪部、２３２  カバー拡散部、２４０  光源蓋部、２５０  連結金具、２６０  点灯装置、２６１  点灯装置本体部、２６２  電源コネクタ、２０００  埋込型照明器具、３００  本体部、３０１  本体取付部、３０２  本体開口部、３０２ａ  開口周部、３０３  本体側面部、３１０  枠部、３２０  光源保持部、３２１  光源取付部、３２２  固定部、４００  ＬＥＤユニット、４１０  角連結部、４１１  角連結固定部、４１２  第一の連結コネクタ部、４１３  第二の連結コネクタ部、４１４  角用補助ＬＥＤ、４１５  角用取付孔、５００  拡張連結部、５１０  拡張部、５２０  拡張接続部、５３０  拡張ＬＥＤ、５４０  拡張固定孔、６００  取付部材、７００  拡張連結部の変形例１、７１０  Ｔ形拡張部、７１１  拡張基板部、７１２  拡張固定部、８００  拡張連結部の変形例２、８１０  拡張連結基板部、８１１  Ｃ辺、８１２  Ｄ辺、８２０  配線パターン。
【図１】
2015207397.tif 000003
【図２】
2015207397.tif 000004
【図３】
2015207397.tif 000005
【図４】
2015207397.tif 000006
【図５】
2015207397.tif 000007
【図６】
2015207397.tif 000008
【図７】
2015207397.tif 000009
【図８】
2015207397.tif 000010
【図９】
2015207397.tif 000011
【図１０】
2015207397.tif 000012
【図１１】
2015207397.tif 000013
【図１２】
2015207397.tif 000014
【図１３】
2015207397.tif 000015
【図１４】
2015207397.tif 000016
【図１５】
2015207397.tif 000017
【図１６】
2015207397.tif 000018
【図１７】
2015207397.tif 000019
【図１８】
2015207397.tif 000020